(57)【要約】【課題】リード線の断線を防止し、コア、コイル及びセンサを一体化することのできるリアクトルを提供する。【解決手段】リアクトル１００は、コア１と、コア１の外周を被覆する樹脂部材２と、コア１の一部に装着されるコイル５と、樹脂部材２に対して固定して配置され、物理量を検出するセンサ３と、コイル５及びセンサ３を樹脂により被覆し、コア１とコイル５とセンサ３を一体化させる被覆部材４と、を備え、センサ３は、物理量を検出する検出部３１と、検出部３１に接続されたリード線３２と、検出部３１と被覆部材４の中のリード線３２とを被覆し、樹脂部材２に固定された第１センサ被覆部３４と、を有する。【選択図】図２
2020035844.tif 000002
【特許請求の範囲】
【請求項１】
コアと、
前記コアの外周を被覆する樹脂部材と、
前記コアの一部に装着されるコイルと、
前記樹脂部材に対して固定して配置され、物理量を検出するセンサと、
前記コイル及び前記センサを樹脂により被覆し、前記コアと前記コイルと前記センサを一体化させる被覆部材と、
を備え、
前記センサは、
物理量を検出する検出部と、
前記検出部に接続されたリード線と、
前記検出部と前記被覆部材の中の前記リード線とを被覆し、前記樹脂部材に固定された第１センサ被覆部と、
を有すること、
を特徴とするリアクトル。
【請求項２】
前記第１センサ被覆部の端部が、前記被覆部材から露出していること、
を特徴とする請求項１記載のリアクトル。
【請求項３】
前記検出部は、温度を検出する温度センサであること、
を特徴とする請求項１又は２記載のリアクトル。
【請求項４】
前記被覆部材は、
前記コイルの内外周を被覆するコイル被覆部と、
前記第１センサ被覆部を被覆する第２センサ被覆部と、
を有し、
前記コイル被覆部と前記第２センサ被覆部とが一続きに継ぎ目無く樹脂で形成され、
前記コイル被覆部が前記コイルと密着し、
前記第２センサ被覆部が前記第１センサ被覆部と密着し、
前記第１センサ被覆部が前記検出部と密着していること、
を特徴とする請求項３記載のリアクトル。
【請求項５】
前記コイルは、一対のコイルであり、
前記センサは、柱形状を有し、前記一対のコイル間に設けられ、
前記第１センサ被覆部は、
前記検出部及びリード線の一部を被覆する筒形状の筒状部と、
前記筒状部から張り出した鍔状部と、
前記鍔状部から離れて前記筒状部に設けられ、前記筒状部から張り出し、当該張り出した端部に切欠きが設けられた爪部と、
を有し、
前記樹脂部材は、
前記鍔状部を固定する取付部と、
前記一対のコイルの間を仕切る仕切板と、
を有し、
前記鍔状部が前記取付部に取り付けられ、
前記爪部が前記仕切板に取り付けられていること、
を特徴とする請求項１〜４の何れか記載のリアクトル。
【請求項６】
前記第１センサ被覆部には、前記リード線が接続された側とは反対側である前記検出部の先端側に前記第１センサ被覆部を形成する樹脂の注入痕が設けられていること、
を特徴とする請求項１〜５の何れか記載のリアクトル。
【発明の詳細な説明】
【技術分野】
【０００１】
本発明は、コアとコイルとセンサを一体化したリアクトルに関する。
【背景技術】
【０００２】
リアクトルは、ハイブリッド自動車や電気自動車、燃料電池車の駆動システム等をはじめ、種々の用途で使用されている。例えば、車載用の昇圧回路に用いられるリアクトルとして、環状コアの周囲に配置した樹脂製のボビンにコイルを巻回した後、これらを金属製のケースに収容し、ケース内に充填材を流し込んで固めたものが多く用いられる（例えば、特許文献１参照。）。
【先行技術文献】
【特許文献】
【０００３】
【特許文献１】特開２０１１−１２４２６７号公報
【発明の概要】
【発明が解決しようとする課題】
【０００４】
しかし、充填材の硬化には時間がかかることから、リアクトルの製造時間が増大する。また、ケースを設けるため、リアクトル全体が大型化する。そのため、充填材やケースを設けないリアクトルが要望されている。充填材レス、ケースレスのリアクトルは、絶縁のためにコイルを被覆し、かつ、コイルをコアと一体化する必要がある。そのため、リアクトルをモールド成形法などによりモールドし、コイルの周囲を樹脂で被覆することが考えられる。
【０００５】
また、このようなリアクトルにセンサを設ける場合、センサもコイルと絶縁したり、固定のためにコアやコイルと一体化したりする必要がある。そのために、コアやコイルだけでなく、センサも樹脂モールドして一体化することが考えられる。
【０００６】
しかし、複数の部材を金型に収容してモールドすることから、センサを治具で固定することが困難であった。特に、センサの金型内におけるリード線を治具で押さえないで樹脂モールドしようとすると、樹脂の射出圧によってリード線が煽られてリード線が断線する虞があった。
【０００７】
本発明は、上記のような課題を解決するためになされたものであり、その目的は、リード線の断線を防止し、コア、コイル及びセンサを一体化することのできるリアクトルを提供することにある。
【課題を解決するための手段】
【０００８】
本発明のリアクトルは、コアと、前記コアの外周を被覆する樹脂部材と、前記コアの一部に装着されるコイルと、前記樹脂部材に対して固定して配置され、物理量を検出するセンサと、前記コイル及び前記センサを樹脂により被覆し、前記コアと前記コイルと前記センサを一体化させる被覆部材と、を備え、前記センサは、物理量を検出する検出部と、前記検出部に接続されたリード線と、前記検出部と前記被覆部材の中の前記リード線とを被覆し、前記樹脂部材に固定された第１センサ被覆部と、を有すること、を特徴とする。
【発明の効果】
【０００９】
本発明によれば、リード線の断線を防止し、コア、コイル及びセンサを一体化することのできるリアクトルを得ることができる。
【図面の簡単な説明】
【００１０】
【図１】実施形態に係るリアクトルの斜視図である。
【図２】実施形態に係るリアクトルの分解斜視図である。
【図３】リアクトル本体の斜視図である。
【図４】樹脂部材の斜視図である。
【図５】センサの斜視図である。
【図６】センサの拡大斜視図である。
【図７】図１のＡ−Ａ断面図である。
【図８】他の実施形態に係るリアクトルを説明するための樹脂部材を示す図である。
【発明を実施するための形態】
【００１１】
以下、図面を参照して、本発明の実施形態に係るリアクトルについて説明する。
【００１２】
［１．実施形態］
［１−１．構成］
図１は、実施形態に係るリアクトルの斜視図である。図２は、実施形態に係るリアクトルの分解斜視図である。図３は、リアクトル本体の斜視図である。
【００１３】
本明細書において、図面に示すｚ軸方向を「上」側、その逆方向を「下」側とする。各部材の構成を説明するのに、「下」は「底」とも称する。「上」や「下」とは、リアクトルの各構成の位置関係をいうものであり、リアクトルが設置対象の実機に搭載された際の位置関係や方向を指すものではない。ｚ軸方向を高さ方向と称する場合もある。また、後述するように、コイル５の巻軸方向をｚ軸方向と直交するｙ軸方向とし、ｚ軸及びｙ軸に直交する方向をｘ軸方向とする。後述するようにｘ軸方向は、コイル５を構成する一対のコイル５１ａ、５１ｂの並び方向である。これらの方向は、リアクトルの各構成の位置関係を示すための表現であり、リアクトルが設置対象に設置された際の位置関係及び方向を限定するものではない。
【００１４】
本実施形態のリアクトル１００は、例えばハイブリッド自動車や電気自動車、燃料電池車の駆動システム等で使用される大容量のリアクトルである。リアクトル１００は、これら自動車に搭載される電気回路の主要部品である。
【００１５】
図１〜図３に示すように、リアクトル１００は、リアクトル本体１０と、センサ３と、被覆部材４とを備える。
【００１６】
リアクトル本体１０は、コア１と、コア１の一部の周囲に装着されたコイル５と、コア１の外周を覆い、コア１とコイル５とを絶縁する樹脂部材２とを有している。
【００１７】
（コア）
図２に示すように、コア１は、一対の平行な直線部分と、これら直線部分を繋ぐＵ字形状の連結部分とを有する環状形状を成す。図３に示すように、コア１のうち、コイル５が巻回された直線部分は、磁束が発生する脚部である。コイル５が巻回されていないＵ字形状の連結部分は、脚部で発生した磁束が通過するヨーク部である。すなわち、ヨーク部は、一対の直線部分を繋ぐ。コア１内には、脚部で発生した磁束がヨーク部を通過することで、環状の閉じた磁気回路が形成される。
【００１８】
コア１は、磁性体を含み構成される、ここでは、コア１は、Ｕ字型コア１１、１２の脚部をそれぞれ突き合わせて環状形状を成している。Ｕ字型コア１１、１２は、圧粉磁心、フェライトコア、又は積層鋼板などの磁性体からなる。ここでは、Ｕ字型コア１１、１２は同一形状の圧粉磁心である。Ｕ字型コア１１、１２の突き合わせる脚部間にはギャップが設けられていても良い。
【００１９】
（樹脂部材）
図４は、樹脂部材２の斜視図である。樹脂部材２は、コア１の外周を樹脂により被覆する部材であり、コア１の形状に倣って環状に形成されている。樹脂部材２を構成する樹脂の種類としては、例えば、エポキシ樹脂、不飽和ポリエステル系樹脂、ウレタン樹脂、ＢＭＣ（Ｂｕｌｋ  Ｍｏｌｄｉｎｇ  Ｃｏｍｐｏｕｎｄ）、ＰＰＳ（Ｐｏｌｙｐｈｅｎｙｌｅｎｅ  Ｓｕｌｆｉｄｅ）、ＰＢＴ（Ｐｏｌｙｂｕｔｙｌｅｎｅ  Ｔｅｒｅｐｈｔｈａｌａｔｅ）等が挙げられる。
【００２０】
本実施形態では、樹脂部材２は、二分割されて構成されており、樹脂体２Ａと樹脂体２Ｂとを有する。すなわち、樹脂部材２は、略Ｕ字形状の樹脂体２Ａ、樹脂体２Ｂを別々に成形しておき、互いの端部を向かい合わせることで構成される。樹脂体２Ａと樹脂体２Ｂとを別々に成形するのは、コイル５を樹脂体２Ａ又は樹脂体２Ｂの一対の直線部分にはめ込んで樹脂部材２にコイル５を装着するためである。
【００２１】
図２及び図４に示すように、樹脂体２Ａ、２Ｂは、一対の直線部２１ａ、２１ｂと、これら直線部２１ａ、２１ｂを繋ぐ連結部２１ｃと、リアクトル１００を固定するための固定部２２と、コイル５の端部を挟む挟持部２３と、センサ３を取り付ける取付部２４と、仕切板２５と、を有する。樹脂体２Ａ、２Ｂは、各構成２１ａ〜２１ｃ、２２〜２５が樹脂により一体的に形成されている。すなわち、各構成２１ａ〜２１ｃ、２２〜２５は、同じ樹脂により継ぎ目無く一続きに構成されている。
【００２２】
直線部２１ａ、２１ｂは、Ｕ字型コア１１、１２の脚部を被覆し、コイル５が装着される部分であり、ボビンとも称される。連結部２１ｃは、Ｕ字型コア１１、１２の脚部の連結部分を被覆する。つまり、樹脂体２Ａ、２Ｂには、Ｕ字型コア１１、１２が樹脂モールド成形法によって埋め込まれており、樹脂体２Ａ、２Ｂに覆われたＵ字型コア１１、１２の外周部分が樹脂体２Ａ、２Ｂの内周と密着している。但し、Ｕ字型コア１１、１２の脚部の端面は露出する。
【００２３】
連結部２１ｃの底面には、Ｕ字型コア１１、１２の底面を露出させる開口（不図示）が設けられ、連結部２１ｃの背面には、Ｕ字型コア１１、１２の背面を露出させる開口２１０が設けられている。これらの開口は、放熱性を向上させるための構成である。
【００２４】
固定部２２は、連結部２１ｃの両端部にそれぞれ設けられており、リアクトル１００全体としては四隅に設けられる。固定部２２には、ネジが挿入されるネジ孔が設けられており、ネジが挿入されて締結されることで、リアクトル１００が設置対象に固定される。設置対象としては、放熱シート、ＰＣＵケース、ミッションケース、電圧制御ユニットのケース、ヒートシンクなどのベースが挙げられる。
【００２５】
挟持部２３は、コイル５の端部を挟持して保持する。この挟持部２３は、連結部２１ｃの上面に設けられている。具体的には、挟持部２３は、連結部２１ｃの上面であって、直線部２１ａ、２１ｂの軸上にそれぞれ計４箇所設けられている。挟持部２３は、二枚の板状体２３１が、後述するコイル５の端部５２の厚み分離れて連結部２１ｃの上面に立設されており、板状体２３１間にコイル５の端部５２が挿入されて挟み込まれることで端部５２を保持する。
【００２６】
取付部２４は、センサ３を取り付けるための部位である。具体的には、後述するセンサ３に設けられた鍔状部３４ｂを固定する（図５参照）。本実施形態では、取付部２４は、連結部２１ｃの上面にコイル５の巻軸方向（ｙ軸方向）と垂直になるように立設された二枚の板状体２４１であり、板状体２４１間は鍔状部３４ｂの厚み分の隙間が設けられている。取付部２４は、板状体２４１間に鍔状部３４ｂが差し込まれることで、センサ３のｙ軸方向の位置を決める。取付部２４は、連結部２１ｃの上面のうち、リアクトル１００の中心側に設けられている。
【００２７】
また、板状体２４１は後述する第１センサ被覆部３４（筒状部３４ａ）の形状に倣った切欠き２４１ａが設けられている。筒状部３４ａが切欠き２４１ａに嵌まることでセンサ３のｘ軸方向の位置が決まる。
【００２８】
仕切板２５は、板状体であり、ｙｚ平面と平行にして直線部２１ａ、２１ｂ間に設けられている。この仕切板２５は、コイル５を構成する一対のコイル５１ａ、５１ｂ間を仕切る。
【００２９】
仕切板２５は、概略直角三角形状の板であり、そのうちの一辺は、Ｕ字形状の樹脂体２Ａ、２Ｂの内股部分、すなわち、連結部２１ｃのリアクトル１００の中心側内側面に設けられている。当該一辺に直交する辺は、直線部２１ａ、２１ｂ（ｙ軸方向）と平行に延びている。
【００３０】
（コイル）
コイル５は、絶縁被覆を有する導線で構成される。図２及び図３に示すように、コイル５は、左右の一対のコイル５１ａ、５１ｂを有する。コイル５１ａ、５１ｂは、エナメルなどの絶縁被覆した１本の銅線によって構成されている。本実施形態のコイル５１ａ、５１ｂは、平角線のエッジワイズコイルである。但し、コイル５１ａ、５１ｂの線材や巻き方は平角線のエッジワイズコイルに限定されず、他の形態であっても良い。
【００３１】
コイル５は、コイル５１ａ、５１ｂがコア１の脚部の周囲を囲うように、樹脂部材２の一対の直線部分の外周に装着されており、コイル５１ａ、５１ｂが互いに平行である。つまり、コイル５１ａ、５１ｂの巻軸方向が互いに平行である。この巻軸方向は、ｙ軸方向と平行である。
【００３２】
コイル５１ａ、５１ｂの端部５２は、樹脂体２Ａ、２Ｂの上方を介してリアクトル本体１０の外部に引き出されており、端子と溶接等により電気的に接続される。端部５２は、挟持部２３により挟持されて位置が固定される。
【００３３】
（センサ）
図５は、センサ３の斜視図である。図６は、センサ３の拡大斜視図である。但し、図５及び図６では、後述するコネクタ３３は図示を省略している。
【００３４】
センサ３は、リアクトル１００に関する物理量を検出する。図３に示すように、センサ３は、柱形状を有し、一対のコイル５１ａ、５１ｂ間に設けられる。
【００３５】
図２、図５及び図６に示すように、センサ３は、検出部３１、リード線３２、コネクタ３３、第１センサ被覆部３４を有する。
【００３６】
検出部３１は、リアクトル１００に関する物理量を検出する。ここでは検出部３１は、リアクトル１００の温度を検出する素子であり、例えばサーミスタを用いることができる。検出部３１は、コイル５１ａ、５１ｂ間に配置されている。
【００３７】
リード線３２は、一端が検出部３１と接続されており、他端がコネクタ３３と接続される。リード線３２は、金属線とそれを被覆する被覆部とからなる。金属線の材質としては、銅、ニッケル、アルミ、銀、金又はこれら２種以上を含むことができる。金属線は、１本のみの単線、または複数本をより合わせたより線を使用する。被覆部は、ビニール、シリコンゴム、フッ素ゴムなどの絶縁性部材で金属線を被覆する。
【００３８】
コネクタ３３は、相手端のコネクタを着脱自在に構成されている。検出部３１で検出した物理量は、リード線３２及びコネクタ３３を介して、コネクタ３３に接続された外部機器に伝送される。
【００３９】
第１センサ被覆部３４は、検出部３１とリード線３２とを被覆する樹脂部材である。第１センサ被覆部３４を構成する樹脂の種類としては、例えば、エポキシ樹脂、不飽和ポリエステル系樹脂、ウレタン樹脂、ＢＭＣ（Ｂｕｌｋ  Ｍｏｌｄｉｎｇ  Ｃｏｍｐｏｕｎｄ）、ＰＰＳ（Ｐｏｌｙｐｈｅｎｙｌｅｎｅ  Ｓｕｌｆｉｄｅ）、ＰＢＴ（Ｐｏｌｙｂｕｔｙｌｅｎｅ  Ｔｅｒｅｐｈｔｈａｌａｔｅ）等が挙げられる。第１センサ被覆部３４の樹脂は、樹脂部材２を構成する樹脂と同じ種類としても良いし、異なる種類としても良い。
【００４０】
この第１センサ被覆部３４は、筒状部３４ａ、鍔状部３４ｂ、爪部３４ｃ、凹部３４ｄを有する。
【００４１】
筒状部３４ａは、検出部３１とリード線３２の一部を被覆する。具体的には、筒状部３４ａは、検出部３１の先端からリード線３２の途中までを被覆する。すなわち、筒状部３４ａは、検出部３１とリード線３２の被覆部材４の中の部分を少なくとも被覆する。筒状部３４ａは、リード線３２の被覆部材４の外部に位置する部分まで被覆しても良い。筒状部３４ａの検出部３１が設けられた先端部と、その反対側の後端部は塞がれている。但し、後端部からはリード線３２が筒状部３４ａの外部に引き出されている。
【００４２】
鍔状部３４ｂは、筒状部３４ａから張り出して設けられている。具体的には、鍔状部３４ｂは、筒状部３４ａの軸と直交する平面に拡がるように設けられ、ここでは、筒状部３４ａの周囲にＣ字状に張り出している。
【００４３】
爪部３４ｃは、筒状部３４ａから張り出して設けられている。爪部３４ｃは、鍔状部３４ｂから離れて設けられ、その張出長さは、鍔状部３４ｂより短い。爪部３４ｃは、鍔状部３４ｂより先端側、すなわちコネクタ３３よりも検出部３１側に設けられている。筒状部３４ａから張り出した爪部３４ｃの端部、すなわち爪部３４ｃの下端部には切欠き３４１が設けられている。この切欠き３４１に仕切板２５の上縁が嵌まり込む。
【００４４】
凹部３４ｄは、筒状部３４ａに複数設けられた凹みである。鍔状部３４ｂより先端側の凹部３４ｄは、筒状部３４ａの内部が露出している。鍔状部３４ｂより後端側の凹部３４ｄは、筒状部３４ａの内部のリード線３２が露出していない。
【００４５】
なお、検出部３１及びリード線３２の一部は、加熱すると収縮する熱収縮チューブにより保護しても良いし、リード線３２のコネクタ３３側の一部を、保護チューブにより保護しても良い。
【００４６】
（被覆部材）
図１及び図２に示すように、被覆部材４は、コイル５及びセンサ３を樹脂により被覆し、コア１とコイル５とセンサ３とを一体化させる。被覆部材４を構成する樹脂の種類としては、例えば、エポキシ樹脂、不飽和ポリエステル系樹脂、ウレタン樹脂、ＢＭＣ（Ｂｕｌｋ  Ｍｏｌｄｉｎｇ  Ｃｏｍｐｏｕｎｄ）、ＰＰＳ（Ｐｏｌｙｐｈｅｎｙｌｅｎｅ  Ｓｕｌｆｉｄｅ）、ＰＢＴ（Ｐｏｌｙｂｕｔｙｌｅｎｅ  Ｔｅｒｅｐｈｔｈａｌａｔｅ）等が挙げられる。被覆部材４の樹脂は、樹脂部材２を構成する樹脂と同じ種類としても良いし、異なる種類としても良い。
【００４７】
被覆部材４に用いる樹脂としては、コイル５１ａ、５１ｂの振動に追従する柔らかい材質のものが好ましい。被覆部材４がコイル５１ａ、５１ｂの振動によって樹脂部材２、コイル５１ａ、５１ｂから剥がれるのを抑制することができるからである。すなわち、剥離によって被覆部材４と樹脂部材２又はコイル５１ａ、５１ｂとの間に空気層が形成され放熱性が悪化するのを抑制することができるからである。
【００４８】
図１及び図２に示すように、被覆部材４は、コイル被覆部４１、第２センサ被覆部４２、端子被覆部４３を有する。コイル被覆部４１は、コイル５１ａ、５１ｂの周囲を覆う。各コイル５１ａ、５１ｂに対するコイル被覆部４１をコイル被覆部４１ａ、４１ｂと称する。
【００４９】
図７は、図１のＡ−Ａ断面図である。図２及び図７に示すように、コイル被覆部４１ａ、４１ｂは、二重筒構造、すなわち、外筒４１１、内筒４１２及び連結部４１３を有している。外筒４１１は、コイル５１ａ、５１ｂの外周を覆う。但し、外筒４１１の上面及び下面には、コイル５１ａ、５１ｂの上面、底面を露出させる開口部４１４が設けられている。
【００５０】
内筒４１２は、コイル５１ａ、５１ｂの内周を覆う。連結部４１３は、外筒４１１と内筒４１２の端部を連結する。また、連結部４１３は、外筒４１１及び内筒４１２を、第２センサ被覆部４２、端子被覆部４３と繋げる。
【００５１】
第２センサ被覆部４２は、第１センサ被覆部３４を被覆することで、センサ３の位置を固定する。端子被覆部４３は、連結部２１ｃの上方に引き出されたコイル５１ａ、５１ｂの端部５２を被覆することで、端部５２の位置を固定する。但し、端子被覆部４３は、端部５２の先端は被覆せず、端子と電気的に接続できるように、絶縁被膜がはぎ取られた線材が露出している。また、端子被覆部４３の先端には、開口２１０を塞ぐ封止板４３１が設けられている。
【００５２】
被覆部材４は、各構成４１〜４３が樹脂により一体的に形成されている。すなわち、各構成４１〜４３は、同じ樹脂により継ぎ目無く一続きに構成されている。
【００５３】
［１−２．製造方法］
リアクトル１００の製造方法について説明する。本リアクトル１００の製造方法は、１次モールド工程、リアクトル本体１０の組立工程、２次モールド工程を有する。
【００５４】
(1)１次モールド工程
１次モールド工程は、モールドコア形成工程と、第１センサ被覆部形成工程とを有する。
【００５５】
モールドコア形成工程は、樹脂モールド成形法により樹脂体２Ａ、２Ｂを形成する。すなわち、金型内にＵ字型コア１１、１２を配置し、樹脂を充填し、固化することで、モールドコアを形成する。モールドコアとは、内部にＵ字型コア１１、１２が埋設された樹脂体２Ａ、２Ｂである。Ｕ字型コア１１、１２の周囲は樹脂体２Ａ、２Ｂと密着している。
【００５６】
第１センサ被覆部形成工程は、樹脂モールド成形法により、第１センサ被覆部３４を形成する工程である。すなわち、金型内に検出部３１とリード線３２の一部を直線状にして収容し、治具で固定した上で、樹脂を充填し、固化することで第１センサ被覆部３４を形成し、センサ３を得る。これにより、筒状部３４ａ、鍔状部３４ｂ、爪部３４ｃが樹脂で一続きに継ぎ目無く構成される。樹脂モールド成形法により第１センサ被覆部３４を形成しているので、筒状部３４ａの内周と検出部３１、リード線３２とは密着している。第１センサ被覆部３４の凹部３４ｄは、この工程において治具で押さえられたことにより形成された痕である。
【００５７】
また、金型内部に樹脂を注入するゲートは、金型の検出部３１の先端側に設けられている。このため、図５及び図６に示すように、筒状部３４ａの先端には、第１センサ被覆部３４を形成する樹脂の注入痕３４ｅが設けられている。ここでいう先端とは、検出部３１の先端側の筒状部３４の端部であり、リード線３２が接続された側とは反対側の端部である。
【００５８】
言い換えると、樹脂の流れと検出部３１及びリード線３２の延び方向とを平行にすることで、樹脂の射出圧がリード線３２に加わるのを抑制することができ、第１センサ被覆部３４を形成したことによって生じ得るリード線３２の負担を軽減できる。
【００５９】
(2)リアクトル本体１０の組立工程
リアクトル本体１０の組立工程は、リアクトル本体１０を組み立てる工程である。モールドコアの脚部、すなわち、直線部２１ａ、２１ｂにコイル５１ａ、５１ｂを嵌め込んで、Ｕ字型コア１１、１２の端部を突き合わせて環状形状のリアクトル本体１０を構成する。また、各端部５２を挟持部２３にそれぞれ挿入してコイル５１ａ、５１ｂを固定する。
【００６０】
また、図６に示すように、センサ３をリアクトル本体１０に取り付ける。すなわち、筒状部３４ａを切欠き２４１ａに、また、鍔状部３４ｂを板状体２４１間にそれぞれ嵌合させることで取付部２４に取り付け、爪部３４ｃの切欠き３４１に仕切板２５の上縁を嵌め込むことで爪部３４ｃを仕切板２５に取り付ける。これにより、第１センサ被覆部３４が樹脂部材２（樹脂体２Ｂ）に固定されることで、センサ３がリアクトル本体１０に固定される。このようにセンサ３を取り付けると、センサ３は、仕切板２５の一辺上に位置する。本実施形態では、図６に示すように、第１センサ被覆部３４（筒状部３４ａ）の先端部分が、樹脂体２Ｂの仕切板２５上に載せられている。
(3)２次モールド工程
２次モールド工程は、樹脂モールド成形法により、被覆部材４を形成する工程である。センサ３が取り付けられたリアクトル本体１０を金型内に配置する。このとき、４箇所の端部５２は、樹脂が被覆されないように金型に設けられた凹みに差し込まれている。また、筒状部３４ａの後端部の側周面が金型の内周壁で押さえられる。そのため、筒状部３４ａの後端は、金型外部に露出する。この状態で、金型内に樹脂を充填する。このとき、第１センサ被覆部３４により、金型内のリード線３２が保護されているので、樹脂の射出圧によってリード線３２が断線するのを防止することができる。充填した樹脂が固化することで、被覆部材４が形成される。被覆部材４は、樹脂モールド成形法により形成されているので、コイル被覆部４１はコイル５及び樹脂部材２と密着し、第２センサ被覆部４２が第１センサ被覆部３４と密着している。これにより、コア１、コイル５、センサ３が一体化される。
【００６１】
［１−３．作用・効果］
（１）本実施形態のリアクトル１００は、コア１と、コア１の外周を被覆する樹脂部材２と、コア１の一部に装着されるコイル５と、樹脂部材２に対して固定して配置され、物理量を検出するセンサ３と、コイル５及びセンサ３を樹脂により被覆し、コア１とコイル５とセンサ３を一体化させる被覆部材４と、を備え、センサ３は、物理量を検出する検出部３１と、検出部３１に接続されたリード線３２と、検出部３１と被覆部材４の中のリード線３２とを被覆し、樹脂部材２に固定された第１センサ被覆部３４と、を有するようにした。
【００６２】
これにより、リード線３２の断線を防止し、被覆部材４によりコア１、コイル５及びセンサを一体化することのできるリアクトルを得ることができる。すなわち、第１センサ被覆部３４により、リード線３２が被覆されることでリード線３２が保護されるとともに、センサ３が樹脂部材２に固定されるので、コア１とコイル５とセンサ３とを樹脂モールドにより一体化する際にセンサ３自体を治具で固定しなくても、リード線３２が樹脂圧の影響を受けないようにすることができる。
【００６３】
（２）第１センサ被覆部３４の端部を、被覆部材４から露出させるようにした。
【００６４】
これにより、リード線３２の被覆部材４に埋設される部分が第１センサ被覆部３４で保護されているので、樹脂モールド成形法により被覆部材４が形成される際に、リード線３２の断線を防止することができる。また、被覆部材４を形成する際に当該端部部分におけるバリの発生を防止することができる。すなわち、被覆部材４を形成する際には、コア１やコイル５、センサ３など複数の部材が金型内に配置された状態で樹脂を充填するが、複数の部材が金型内に配置されていることで隅々まで樹脂を充填させるために樹脂の射出圧を高くする必要がある。リード線３２が第１センサ被覆部３４で被覆されていないと、リード線３２を強く押さえる等により金型内を封止する必要があるが、リード線３２を強く押さえると断線に繋がるため強く押さえることが難しい。そのため、封止が緩くなり、樹脂バリが発生する。これに対し、第１センサ被覆部３４の端部が、被覆部材４から露出していることで、当該端部、具体的には筒状部３４ａの後端部の側周面を金型で押さえることができるので、バリの発生を防止することができる。
【００６５】
（３）検出部３１は、温度を検出する温度センサであり、被覆部材４は、コイル５の内外周を被覆するコイル被覆部４１と、第１センサ被覆部３４を被覆する第２センサ被覆部４２と、を有し、コイル被覆部４１と第２センサ被覆部４２とが一続きに継ぎ目無く樹脂で形成され、コイル被覆部４１がコイル５と密着し、第２センサ被覆部４２が第１センサ被覆部３４と密着し、第１センサ被覆部３４が検出部３１と密着するようにした。
【００６６】
これにより、リアクトル１００の温度を正確に測定することができる。すなわち、リアクトル１００における熱はコイル５から発生するものが大部分であり、コイル５の熱が一続きに継ぎ目無く樹脂で形成されたコイル被覆部４１、第２センサ被覆部４２、更に第１センサ被覆部３４を介して検出部３１に伝達される。このコイル５から検出部３１までの、コイル被覆部４１、第２センサ被覆部４２及び第１センサ被覆部３４で形成される熱伝導経路において、各部が密着していることで熱伝導の悪い空気の介在が防止されるので、正確な温度測定が可能になる。
【００６７】
（４）コイル５は、一対のコイル５１ａ、５１ｂであり、センサ３は、柱形状を有し、一対のコイル５間に設けられ、第１センサ被覆部３４は、検出部３１及びリード線３２の一部を被覆する筒形状の筒状部３４ａと、筒状部３４ａから張り出した鍔状部３４ｂと、鍔状部３４ｂから離れて筒状部３４ａに設けられ、筒状部３４ａから張り出し、当該張り出した端部に切欠きが設けられた爪部３４ｃと、を有し、樹脂部材２は、鍔状部３４ｂを固定する取付部２４と、一対のコイル５１ａ、５１ｂの間を仕切る仕切板２５と、を有し、鍔状部３４ｂが取付部２４に取り付けられ、爪部３４ｃが仕切板２５に取り付けられるようにした。
【００６８】
これにより、リアクトル本体１０にセンサ３を固定することができるので、被覆部材４を形成する際に治具によってセンサ３を固定する必要がなく、センサ３もリアクトル本体１０とともに樹脂モールドすることができる。また、鍔状部３４ｂと爪部３４ｃを離して設けているので、柱形状のセンサ３を安定して固定される。つまり、センサ３の先端部分の検出部３１の位置を正確に決めることができるので、リアクトル１００の個体のバラツキを抑制し、温度を正確に測定することができる。
【００６９】
（５）第１センサ被覆部３４には、リード線３２が接続された側とは反対側である検出部３１の先端側に第１センサ被覆部３４を形成する樹脂の注入痕３４ｅを設けるようにした。このように、第１センサ被覆部３４を樹脂モールド成形法により形成する際に、樹脂の注入箇所がリード線３２から離れて設けられる構成としたので、リード線３２に加わる樹脂の射出圧を弱めることができ、リード線３２の断線を防止することができる。
【００７０】
［２．他の実施形態］
本発明は、上記実施形態に限定されるものではなく、下記に示す他の実施形態も包含する。また、本発明は、上記実施形態及び下記の他の実施形態の少なくともいずれか１つを組み合わせた形態も包含する。
【００７１】
（１）上記実施形態では、検出部３１を温度センサとしたが、これに限定されない。検出部３１は、磁気、電気、位置、振動、湿度などの他の物理量を検出する素子を用いても良い。また、検出部３１を温度センサとする場合、検出部３１を上下方向に平行になるようにコイル５１ａ、５１ｂの間に挿入しても良い。リアクトル１００の発熱部分に近い箇所に検出部３１が配置されるので、温度応答性が高くなるので正確な温度検出が可能になる。なお、検出部３１を上下方向に平行になるようにコイル５１ａ、５１ｂ間に挿入する分、上記実施形態と比べてリード線３２の長さが長くなるが、その分は第１センサ被覆部３４で覆われるので、被覆部材４を成形される際の樹脂の射出圧の影響を小さくすることができる。
【００７２】
（２）上記実施形態では、センサ３の先端側を支えるために爪部３４ｃを設けたが、爪部３４ｃは必ずしも設けなくても良い。
【００７３】
（３）図８に示すように、仕切板２５に第１センサ被覆部３４を保持する保持部２６を設けるようにしても良い。保持部２６は、仕切板２５の上部に設けられ、仕切板２５から突出した一対のアーム２６１を有する。アーム２６１はＬ字状であり、アーム２６１は、一端が仕切板２５に繋がって仕切板２５と直交して延び、途中で折り曲がり上方に延びてなる。一対のアーム２６１により保持部２６はＵ字形状を成し、一対のアーム２６１内に第１センサ被覆部３４を配置し、筒状部３４ａをアーム２６１で支持することでセンサ３が保持される。また、アーム２６１を凹部３４ｄに嵌め込んでセンサ３を保持しても良い。
【符号の説明】
【００７４】
１００          リアクトル
１０            リアクトル本体
１              コア
１１、１２      Ｕ字型コア
２              樹脂部材
２Ａ、２Ｂ      樹脂体
２１ａ、２１ｂ  直線部
２１ｃ          連結部
２１０          開口
２２            固定部
２３            挟持部
２３１          板状体
２４            取付部
２４１          板状体
２４１ａ        切欠き
２５            仕切板
２６            保持部
２６１          アーム
３              センサ
３１            検出部
３２            リード線
３３            コネクタ
３４            第１センサ被覆部
３４ａ          筒状部
３４ｂ          鍔状部
３４ｃ          爪部
３４ｄ          凹部
３４ｅ          注入痕
４              被覆部材
４１            コイル被覆部
４１１          外筒
４１２          内筒
４１３          連結部
４２            第２センサ被覆部
４３            端子被覆部
４３１          封止板
５              コイル
５１ａ、５１ｂ  コイル
５２            端部
【図１】
2020035844.tif 000003
【図２】
2020035844.tif 000004
【図３】
2020035844.tif 000005
【図４】
2020035844.tif 000006
【図５】
2020035844.tif 000007
【図６】
2020035844.tif 000008
【図７】
2020035844.tif 000009
【図８】
2020035844.tif 000010